Podtech/llm-jp-corpus-v4-ja_patent huggingface dataset:
(57)【要約】【課題】ヘッドセットを併用する伝声器を有する航空機搭乗者用マスクの提供。【解決手段】マイクロフォンとヘッドホンとからなるヘッドセットを併用する伝声器を有する航空機搭乗員用マスクであって、前記マイクロフォンを前記伝声器の正面に固定すると共に前記マイクロフォンと前記伝声器と一緒に覆うマイクロフォンカバーを設けたことを特徴とする航空機搭乗員用マスク。【選択図】図１
2015100464.tif 000002
【特許請求の範囲】
【請求項１】
マイクロフォンとヘッドホンとからなるヘッドセットを併用する伝声器を有する航空機搭乗員用マスクであって、前記マイクロフォンを前記伝声器の正面に固定すると共に前記マイクロフォンと前記伝声器と一緒に覆うマイクロフォンカバーを設けたことを特徴とする航空機搭乗員用マスク。
【発明の詳細な説明】
【技術分野】
【０００１】
本発明は航空機搭乗員が着用する航空機搭乗員用マスクに関する。
【背景技術】
【０００２】
従来、防じんマスクや防毒マスクを装着した場合、外部とのコミニュケーションが取りにくく、これを改良するために伝声器付きマスクが知られている。例えば特許文献１では装着者の鼻孔及び口部を覆う接願体の左右どちらか一方の外側に１個のろ過器を取り付けると共に他方の側に伝声器を設けてなる伝声器付きマスクが開示されている。また、特許文献２では装着者の少なくとも口許と鼻孔とを覆う面体に取り付けられている伝声器自体に工夫を施して伝声器機能の向上することが開示されている。
【先行技術文献】
【特許文献】
【０００３】
【特許文献１】実用新案公開平０８−０００９９２号公報
【特許文献２】特開２０００−１８９５２９号公報
【０００４】
一方、航空機を用いて感染症患者を移送する場合や危険環境内を飛行する場合等ウイルスや有毒ガス等で汚染された航空機の機内では搭乗員は呼吸を保護するためにマスクを装着する必要がある。そして、搭乗員は他の搭乗員と通話を行うために、ヘッドセットを装着する。その際、ヘッドセットのマイクロフォンは搭乗員の声を拾いやすくするために、マスクの伝声器の正面に設置する。しかしながら，航空機内の騒音は非常に大きいため，マイクロフォンは装着者の声よりも騒音を拾ってしまい，通話に支障をきたすという問題がある。更に，伝声器正面に設置したマイクロフォンの位置は，搭乗員の動きや時間の経過とともに当初の設置位置からずれて、搭乗員の声が拾いにくくなるという問題もある。
【発明の概要】
【発明が解決しようとする課題】
【０００５】
本発明は、これらの問題を解決するものであり，ヘッドセットとの併用性を高め，通話性を向上させた航空機搭乗員用のマスクを提供することを目的とする。
【課題を解決するための手段】
【０００６】
本発明はマイクロフォンとヘッドホンとからなるヘッドセットを併用する伝声器を有する航空機搭乗員用マスクであって、前記マイクロフォンを前記伝声器の正面に固定すると共に前記マイクロフォンと前記伝声器と一緒に覆うマイクロフォンカバーを設けたことを特徴とする航空機搭乗員用マスクである。
【発明の効果】
【０００７】
本発明はマイクロフォンカバーによって，マイクロフォンと伝声器が外部から遮断されるため、マイクロフォンは機内の騒音ではなく伝声器を通して発せられた搭乗員の声を拾うことができる。また，マイクロフォンはマイクロフォンカバーによって固定されるため，伝声器の正面からずれることもない等の効果を奏することができた。
【図面の簡単な説明】
【０００８】
【図１】本発明にかかる航空機搭乗員用マスク正面囲
【図２】ヘッドセット併用時の本発明にかかる航空機搭乗員用マスク正面図
【図３】ヘッドセット併用時の本発明にかかる航空機搭乗員用マスク側面図
【図４】マイクロフォンカバーとマイクロフォンとの接続の詳細断面図
【発明を実施するための形態】
【０００９】
本発明について詳細に説明する。
本発明にかかる航空機搭乗員用マスクにおけるマスクは，粉じん用あるいは有毒ガス用の何れのマスクでもよく，使用するフィルターの種類や数について特に限定されない。また，半面形や全面形等のマスクの形状・構造によっても限定されない。
マイクロフォンカバ一は，マスクに取り付けられた伝声器の一部分または全体、及びヘッドセットのマイクロフォンを一緒に覆うものであって，マイクロホンカバーの材質の指定はなく，ゴム、合成樹脂、或いは金属またはその他の何れでもよい。また、マイクロフォンのマスクへの取り付け方法についても限定はされず，接着や他の部品での押えこみ等何れの方法でもよい。また、マイクロフォンを伝声器に固定する手段についても特に限定はなく通常の固定具によって行えばよい。
次に実施例として図をもって具体的に説明するが，本発明はこの実施例によって限定されるものではない。
【実施例】
【００１０】
図１は本発明にかかる航空機搭乗員用マスクの正面図である。接顔体1の片側側面にフィルター５を取り付けるためのコネクター２が取り付けらている。もう一方の側面には伝声器８が取り付けられており、その上に伝声器８を覆うようにマイクロフォンカバー３が取り付いている。マイクロフォンカバー３はしめひも取付具４によって，伝声器８に密着するように押えつけられて固定されている。伝声器８はマスクのどの位置に取り付けられていてもよいが，ヘッドセット６の構造から，マイクロフォン７に近い位置に取り付いていることで，マイクロフォン７とマイクロフォンカバー３の接続が容易になる。
図２は本発明にかかる航空機搭乗員用マスクとヘッドセット６との併用時の正面図であり，図３は本発明にかかる航空槻搭乗員用マスクとヘッドセット６との併用時の側面図である。
図４はマイクロフォンカバー３及びマイクロフォン７接続の詳細断面図である。マイクロフォンカバー３の１面の１筒所に穴が設けられており，その穴にマイクロフォン７を挿入することで接続を行っている。マイクロフォンカバー３の材質に指定はないが，実施例ではシリコーンゴムを使用している。マイクロフォンカバー３を柔らかい素材にすることで，マイクロフォン７がマイクロフォンカバー３内部で干渉した際に生じる雑音が軽減される。また，マイクロフォン７を挿入する穴の大きさを，マイクロフォン７よりも小さくしておくことによって，マイクロフォンカバー３の隙間がなくなるため，外部との遮音性が高くなり，より通話性が向上する。伝声器８とマイクロフォン７の間の距離に指定はないが，離れ過ぎると声を拾いにくくなるため，０〜３０ｍｍ程度が望ましい。
【産業上の利用可能性】
【００１１】
以上述べたように、本発明に係る航空機搭乗員用マスクは、ヘッドセットとの併用時、外部騒音を軽減し、通話性を向上させることが出来るので極めて有用である。
【符号の説明】
【００１２】
１  接顔体      ２  コネクター      ３  マイクロホンカバー
４  しめひも取付具      ５  フィルター      ６  ヘッドセット
７  マイクロフォン      ８  伝声器
【図１】
2015100464.tif 000003
【図２】
2015100464.tif 000004
【図３】
2015100464.tif 000005
【図４】
2015100464.tif 000006
(57)【要約】【課題】スチールウールを使ってステンレス製品及び磁器等の汚れを落とすときスチールウールを手指で持つと手指の届かない場所の清掃が出来ないこと及び強い力をいれることが出来ないと云う欠点があった。本発明はスチールウールの特性を生かし強力な清掃道具を提供する。【解決手段】ゴム棒の先端にスチールウールを固定する止め具及び止め具押さえを設けたことを特徴とする清掃道具。【選択図】図１
2015100696.tif 000002
【特許請求の範囲】
【請求項１】
ゴム棒の先端にスチールウールの移動を止める突起を設け、スチールウールを固定する留め具及び、止め具押さえを設けた清掃道具
【発明の詳細な説明】
【技術分野】
【０００１】  本発明は、浴槽及び炊事器具などの金属部分及び磁器部分に付着した錆、焦げ等の汚れを取り除く道具であってこけし形清掃具に関するものである。
【背景技術】
【０００２】  スチールウールは円筒形に成形されて供給されており、使用する時は人が手指で持って清掃する場所の汚れをこすり落とすことになる。従って、手指が届かないところの清掃作業は不可能である、また、広い面積を清掃する場合手指が疲れて清掃作業を続けることが困難になる。更に、金属の繊維が指先の傷に触れて痛い場合がある。
【発明の概要】
【発明が解決しようとする課題】
【０００３】  スチールウールはステンレス製の流し台、浴槽に発生した錆及び調理具等に付着した焦げ等汚れを取り除く材料として非常に有効である。しかし、スチールウールは円筒形に成形されて供給されており、これを指先で持って汚れが付着した部分をこすることにより清掃作業を行うことになる。指先で保持するため強い力を加えることが出来ないこと及び狭い場所に指先が届かず清掃出来ないことが欠点である。
本発明は、以上の問題点を解決するためになされたものである。
【課題を解決するための手段】
【０００４】  棒状のゴムの頂部にスチールウールを取り付け、棒状部分を握って清掃できる道具を開発した。これにより清掃する部分に強い力を加えること及び広い面積を清掃することが容易になる。
以上の構成よりなるこけし形清掃用具。
【発明の効果】
【０００５】  従来人の手指で直接持っていたスチールウールを本発明によりゴムの棒を操作することで済み、清掃作業を安全に能率よく行えることになる。
また、ゴム棒の先端に止めるスチールウールは直接人の手で持つ場合より少なくて済むこと及び清掃具の先端部を石鹸液に浸けておく事により２週間程度までスチールウールの寿命を延ばせるため経済的であると共に省資源に役立つ。
【図面の簡単な説明】
【０００６】
【図１】本発明の斜視図
【図２】本発明のスチールウールを取り外したところの斜視図
【本発明を実施する為の形態】
【０００７】  以下、本発明の実施の形態を説明する。
イ、円筒体からなるゴム棒（２）の先端面に、ゴムの突起（５）を複数設ける。
ロ、円盤状のスチールウール（１）をゴムの突起（５）に差し込んで、スチールウール      （１）をゴム棒（２）の先端に固定する。
ハ、スチールウール（１）は、表面中央に円盤を横切るように溝（６）を設ける。
ニ、スチールウール（１）の溝（６）に柔軟性の止め具（３）を当てて、止め具（３）      の両端はゴム棒（２）の両側にたれるように設ける。
本発明は以上のような構造である。
本発明を使用するときは、適当な厚さ（通常１．５ｃｍ位）に調整したスチールウール（１）をゴム棒（２）に乗せ、止め具（３）で固定する。この時、止め具（３）の両端は止め具押さえ（４）の下を潜らせて、止め具（３）のスチールウール側のゴムが緩まないようにする。これで、本発明の組み立ては終了する。
ゴム棒の他端側を握り汚れが付着した部分をスチールウールでこすることにより清掃作業を行うので、直接手指でスチールウールを保持するよりも強い力で作業が行われる。
また、力を入れ易いので広い面積の清掃作業も可能となる。
なお、使用するスチールウールは人手で使う場合の２分の１以下で済む事こと、及び使用後後スチールウールを固定した部分を石鹸液に浸けることにより２週間程度までスチールウールの寿命を延ばすことが出来ること、から省資源が図れる。
なお、スチールウールを直接手指で触らないので傷を負った手でも作業可能であり、健康な手を荒らすこともない。
【符号の説明】
【０００８】１スチールウール、２ゴム棒、３止め具、４止め具押さえ、５移動止め突起、６溝
【図１】
2015100696.tif 000003
【図２】
2015100696.tif 000004
(57)【要約】【課題】  この発明は医療などの患者の治療時や、口を開ける事が困難な人に有効なバイトブロックである。手軽理に使用でき、安全である。【解決手段】  咬むパーツ（１）の先端部分を歯と歯の隙間に真横に挿入し、回すように立てると同時に咬ませる。咬んだまま開口するのでリングを持って維持します【選択図】図９
2015100694.tif 000002
【特許請求の範囲】
（イ）  咬むパーツと、リングが付いた金属の棒を一体化したもの
（ロ）  咬むパーツの先端は、シリコンである、長さは中指の第２関節弱で形態は扇型で手元にいくほど台形に似た楕円である
シリコンの中心の手元から先端部に金属の棒とおなじ形態の空洞があいてる
（ハ）  金属は先端部からでている。形状は先端部は亀頭で、平たんに変形し、途中から円筒型に変形するそして、リングに繋がっている
【発明の詳細な説明】
【発明の詳細な説明】
【技術分野】
【０００１】この発明は、医療分野で口を開ける事ができない人に開口して咬ませるバイトブロックである
【背景技術】
【０００２】従来の開口器は金属製の物は口を大きく開けないと挿入しにくく、他の物も持ち手がなく開口を固定する事が難しく、維持するためにおおきな力がいる
それと同時に維持できないと指などを噛まれたりする
【発明が解決しようとする課題】
【０００３】本発明はその欠点を除いて口を開ける事ができない人に開口を助け、そのまま維持する事ができるバイトブロックである
【課題を解決するための手段】
【０００４】今、その器具を説明すると、
（イ）  咬むパーツ（１）の中にリングの付いた金属の棒（２）を差し込む
以上の構成からなるリング付きのバイトブロックである
【発明を実施するための形態】
【０００５】本発明は以上のような形態であるからこれを使用する時は咬むパーツ（１）の先端部を上下の歯の隙間に差し込み、開口させて、半回転させると、真横だった面が縦になり噛んだまま開口する。咬むパーツ（１）はキズつきやすいので、着脱可能にした
【発明の効果】
【０００６】医療分野において開口できない人に違和感が少なく、持ち手が口の外にあることで術者が開口する時、維持する力の軽減化と、安全性を確保できた。
形が小型のため、場所をとらない。咬むパーツ（１）がシリコンのため歯ぐきでも噛める
【図面の簡単な説明】
【図１】本発明の正面図
【図２】本発明の右側面図
【図３】本発明の左側面図
【図４】本発明の背面図
【図５】本発明の底面図
【図６】本発明の平面図
【図７】咬むパーツの空洞の内面図
【図８】金属の棒の仔細図
【図９】使用時の参考図
【符号の説明】１  咬むパーツ
２  金属の棒（斜線）
３  咬むパーツの先端部
４  空洞
５  円筒
６  平面
【図１】
2015100694.tif 000003
【図２】
2015100694.tif 000004
【図３】
2015100694.tif 000005
【図４】
2015100694.tif 000006
【図５】
2015100694.tif 000007
【図６】
2015100694.tif 000008
【図７】
2015100694.tif 000009
【図８】
2015100694.tif 000010
【図９】
2015100694.tif 000011
【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
（イ）咬むパーツ（１）と取っ手の付いた金属の棒（２）をあわせたバイトブロックである
（ロ）咬むパーツ（１）は、シリコンである。
（ハ）金属の棒（２）の半分はシリコン内に差し込む。残りの部分は取っ手になる
取っ手はリングにしているが棒状でも何でも良い
以上の如く構成された、開口できるバイトブロックである
(57)【要約】【課題】    本発明は、ムール貝の下処理作業である足糸の抜き取りと貝殻表面の汚れ落としを１つの器具で処理できるムール貝下処理具を提供する。【解決手段】  器具本体の片側側面の中央部にヒンジ部を設け、ヒンジ部を支点に擺動する腕部を設け、擺動する腕部内壁面へ歯を設け、器具本体と一体成型される腕部を設け、一体成型された腕部の内壁面へ歯を設け、器具本体上部へ段付溝を設け、器具本体頭頂部へスクレーパーを設けたことを特徴とするムール貝下処理具。【選択図】図１
2015100692.tif 000002
【特許請求の範囲】
【請求項１】
器具本体の片側側面の中央部にヒンジ部を設け、ヒンジ部を支点に擺動する腕部を設け、擺動する腕部内壁面へ歯を設け、器具本体と一体成型される腕部を設け、一体成型された腕部の内壁面へ歯を設け、器具本体上部へ段付溝を設け、器具本体頭頂部へスクレーパーを設けたムール貝下処理具。
【発明の詳細な説明】
【技術分野】
【０００１】  本発明は、ムール貝の下処理作業である足糸の抜き取りと貝殻表面の汚れ落としを１つの器具で処理できるムール貝下処理具に関するものである。
【背景技術】
【０００２】  従来、海より獲れたムール貝には、足糸という食することのできない糸状の束が、貝殻内部より突出しており、また、貝殻表面には様々な汚れが付着している。
調理をするときには、足糸の処理と貝殻表面の処理をしてから調理する。
足糸の処理は、手の指で直接摘まんで引き抜いたり、包丁等の刃物を手で用い、包丁の平とその用いた手の親指で足糸を挟み持ち、包丁の刃に掛けて引き抜いていた。
また、貝殻表面の汚れは、スチールたわし等の道具を使用し洗浄作業をしていた。
【発明の概要】
【発明が解決しようとする課題】
【０００３】  ムール貝の足糸は貝殻内部と丈夫に直結しているため、手の指の力だけで直接摘まんで引き抜くという作業は、手や指等へ掛かる疲労や負担が大きいものであった。
また、包丁等の刃物を手で用い引抜くことは危険を伴う作業であった。
また、貝殻表面の汚れ落としの際、スチールたわし等の道具を別に用意しなければならず、作業効率が悪かった。
いずれも、下処理する貝の量が多量になると手間や負担がかかる。
また、危険度も増加する。
本発明は、以上の問題点を解決するためになされたものである。
【課題を解決するための手段】
【０００４】  器具本体の片側側面の中央部にヒンジ部を設け、ヒンジ部を支点に擺動する腕部を設け、擺動する腕部内壁面へ歯を設ける。
器具本体と一体成型される腕部を設け、一体成型された腕部の内壁面へ歯を設ける。
器具本体上部へ段付溝を設け、器具本体頭頂部へスクレーパーを設ける。
以上の構成よりなるムール貝下処理具。
【発明の効果】
【０００５】  下処理作業による、手や指等へ掛かる疲労や負担を軽減でき、包丁等の刃物を用いることもないため安全に作業ができる。
また、１つの器具で足糸の抜き取りから貝殻の表面の汚れ落としまで、一連の動作で作業できるため多量の貝の下処理時でも効率の良い作業ができる。
【図面の簡単な説明】
【０００６】
【図１】  本発明の右側面の正面よりの斜視図。
【図２】  （ａ）は、本発明のムール貝より足糸を引き抜いている模様を示した使用状態を示した説明図。（ｂ）は、本発明の貝殻表面の汚れをスクレーパーでこそげ落としている模様を示した使用状態を示した説明図。
【図３】  （ａ）は、本発明の擺動する腕部が閉じた状態の正面図。（ｂ）は、本発明の使用時の器具本体とムール貝の位置関係を示した左側面図。
【図４】  （ａ）は、図３に示したＡ−Ａ線の断面図。（ｂ）は、図３に示したＢ−Ｂ線の断面図。（ｃ）は、図３に示したＣ−Ｃ線の断面図。
【発明を実施するための形態】
【０００７】  以下、本発明の実施の形態を説明する。
（イ）弓状に湾曲した勾玉形状の器具本体（１）の片側側面の中央部辺りに、腕部（３ａ    ）を開状態に保持させるためのバネ等を埋設したヒンジ部（２）を設ける。
（ロ）ヒンジ部（２）へ懸吊蝶着され、ヒンジ部（２）を支点に擺動する羽状の腕部（３    ａ）を設ける。
（ハ）腕部（３ａ）の内壁面の一部に、断面が凹凸となる歯（４ａ）を設ける。
（ホ）器具本体と一体成型される腕部（３ｂ）を設ける。
（ヘ）腕部（３ｂ）内壁面一部に、腕部（３ａ）を閉じたとき、歯（４ａ）と相対し噛合    する歯（４ｂ）を設ける。
（ト）器具本体（１）の上部にＶ字状に彫られた溝表面にヤスリ状の表面加工を施し、そ    の溝の谷部へ、さらにコの字状の溝を彫込んだ段付溝（５）を設ける。
（チ）器具本体（１）の頭頂部に金属等の硬質性のスクレーパーを設ける。
本発明は以上のような構造である。
本発明を使用するときは、図２（ｂ）、および、図４（ａ）に示すように把持した器具本体（１）の段付溝（５）をムール貝（７）の貝開口部（９）へ嵌合し、図１に示すように開状態を保持した腕部（３ａ）と、腕部（３ｂ）の間へ足糸（８）を挟入する。
挟入した足糸（８）を、図４（ａ）に示すように器具本体（１）を把持している手で腕部（３ａ）、および、腕部（３ｂ）を挟持することにより、歯（４ａ）、および、歯（４ｂ）により咬持される。
足糸（８）を咬持したまま段付溝（５）を嵌合された貝開口部（９）へ圧接させ、挟持した腕部（３ａ）、および、腕部（３ｂ）をムール貝（７）より引き離す。
このとき、図４（ａ）に示すように貝開口部（９）へ圧接させたヤスリ状の表面加工を施した段付溝部（５）が支点部（Ｓ）となり、腕部（３ａ）、および、腕部（３ｂ）は円弧を描きながら貝開口部（９）上方へ移動する。
これと同時に歯（４ａ）、および、歯（４ｂ）に咬持された足糸（８）は貝開口部（９）より引き抜かれる。
また、ムール貝（７）の貝殻表面の付着物、および、汚れ等は、図４（ｂ）に示すように器具本体（１）頭頂部に設けたスクレーパー（６）によりこそげ落とすことができる。
【符号の説明】
【０００８】１    器具本体
２    ヒンジ部
３ａ  腕部
３ｂ  腕部
４ａ  歯
４ｂ  歯
５    段付溝
６    スクレーパー
７    ムール貝
８    足糸
９    貝開口部
Ｓ    支点部
【図１】
2015100692.tif 000003
【図２】
2015100692.tif 000004
【図３】
2015100692.tif 000005
【図４】
2015100692.tif 000006
(57)【要約】【課題】  従来、濡れた傘の取扱いに苦慮していたことを本発明により解決した。【解決手段】  カバー表地（１）と吸水性を有するカバー裏地（２）を重ね筒状にし、一端にフックを設け、他端開口部のカバー裏地側の周側縁に係止部を設けたことを特徴とする傘カバー。【選択図】図３
2015100690.tif 000002
【特許請求の範囲】
【請求項１】
カバー表地（１）と吸水性を有するカバー裏地（２）を重ね筒状にし、一端にフックを設け、他端開口部のカバー裏地側の周側縁に係止部を設け、傘軸と受骨を活用し傘内に傘カバーの収納を可能にしたことを特徴とする傘カバー。
【発明の詳細な説明】
【技術分野】
【０００１】  本発明は雨に濡れた傘が電車やバス等、人込みの中で使用人及び他人にも迷惑にならない様にと発明された傘カバーである。
【背景技術】
【０００２】  従来の傘カバーと言えば、濡れた傘を纏めてから傘カバーに収めたり、又は、ビニール袋に入れるか、そのまま持ち歩いていたりと取扱に苦慮していた。
【発明の概要】
【発明が解決しようとする課題】
【０００３】  本発明は従来の濡れた傘を帯状の止め具を使用し、纏めてから傘カバーに収めたり、ビニール袋に入れたり、又そのまま持ち歩いて使用者が濡れたり、他人に迷惑を掛けていたが、濡れた傘を纏める面倒や傘カバーを紛失し収納に困ったり、ビニール袋等は使用後に廃棄したりと、資源の無駄が目立った。本発明は以上の問題点を解決する為になされたものである。
【課題を解決するための手段】
【０００４】  カバー表地（１）と吸水性を有するカバー裏地（２）を重ね筒状にし、一端にフックを設け、他端開口部のカバー裏地側の周側縁に係止部を設けたことを特徴としたことと、又傘カバー紛失防止を考え傘内に収納する様にした傘カバー。
【発明の効果】
【０００５】  従来は濡れた傘の取扱いに苦慮していたが本発明により帯状の止め具も不用になり、傘カバーの紛失に困ったり、又、ビニール袋の廃棄や他人に迷惑をかける事もなくなった事と、最大の特徴は傘軸と受骨を活用し、傘内にカバーの収納を可能にすると同時に、素早く傘を包む事ができ、大変便利になった。
【図面の簡単な説明】
【０００６】
【図１】  本発明の表側の斜視図
【図２】  本発明の裏側の斜視図
【図３】  本発明の傘装着斜視図
【図４】  本発明の傘包み込平面図
【発明を実施するための形態】
【０００７】  以下、本発明の実施の形態を説明する。
撥水性を有するカバー表地（１）と吸水性を有するカバー裏地（２）を重ね筒状にした傘カバーである。
【０００８】  傘カバーの一端の開口部の周縁に複数の挿入穴を設け、その挿入穴にフックを取り付ける。この時挿入穴の周縁に強度を持たせるため、アルミニウム等の金属或いはプラスチック材などの補強体を装着してもよい。又は開口部に傘カバーを２重に折り返し縫着した状態、若しくは熱溶着を施した補強部を設けてもよい。補強体と補強部は、それぞれ単独して実施してもよいし、併せて実施してもよい。
【０００９】  傘カバーの他端には１０ｃｍ〜１５ｃｍ程度の長さの切り込み部を設け、その周側縁の裏地側に係止部（５）を所定の間隔をあけて複数設ける。この係止部とは、面ファスナーやスナップボタンを示す。面ファスナーの場合は、切り込み部を対称に半周を雌側、もう半周を雄側としてもよい。
【００１０】  本発明は以上のような構造である。
本発明を使用する時は、まず傘を全開にし、傘カバーは裏返した状態で、傘カバーのフック（４）側より、傘把手部と傘軸を包み込むように挿通し、傘の受骨部にフック（４）により係止する。傘不使用時は、傘を閉じ、傘カバーの開口部すなわち係止部側より、傘の露先から折り返すように、そのまま傘先端まで引き上げ、傘先端側で係止部（５）をもって固定する。
この時、傘カバーは傘全体を包み込むが、少なくとも傘の布地部分を包み込むことが好ましい。これによって、傘表面に付着した水滴が吸水性を有する傘カバーの裏地によって吸水され、表面に滲み出ることなく、使用人又は他人に迷惑を及ぼすことがない。
【符号の説明】
【００１１】１  カバー表地、２  カバー裏地、３  補強部、４  フック、５  係止部、６  傘把手部、７  傘軸、８  受骨部、９  傘生地、１０  傘骨受け
【図１】
2015100690.tif 000003
【図２】
2015100690.tif 000004
【図３】
2015100690.tif 000005
【図４】
2015100690.tif 000006
(57)【要約】【課題】爪全体を安全に削る、爪削り器。【解決手段】ハウジング１ａ内部には、ヤスリ部２を形成できる素材３に該ヤスリ部２を円錐形状に形成、下部に軸受け４を設けモーター５に直結し、該モーター５は駆動のための配線６がされ、前記ハウジング１ａ内部に組み込まれ一方ハウジング１ｂには、前記ハウジング１ａと合体する回転軸７、電源スイッチ１１、及び電池ボックス１２が設けられ、前記モーター５に設けた配線６が電源スイッチ１１及び電池ボックス１２に結合され、ハウジング１ａとハウジング１ｂは前記回転軸７に嵌め合わされツマミ８に設けた取り付けネジ９を、ハウジング１ｂに設けたナット１０に締め込み合体構成されている。【選択図】図１
2015100687.tif 000002
【特許請求の範囲】
【請求項１】
伸びた爪を切らずにヤスリで削る爪削り器であって、当該、爪先と接し爪を削る構造体は円錐形、又は円筒形であって、円錐形にあっては開口部最上端の淵から底部までの内側へヤスリ加工を施し、円筒形にあっては円筒形の開口部最上端面の淵の内側へ下から上へ内側から外側に向かって斜め形状とし、該部位へヤスリ加工を施してあることを特徴とした爪削り器。
【請求項２】
当該、円錐形、又は円筒形の構造体の一部と一体形成、或いは別ピースであってもよいが、シャフトが形成されてあり、該シャフトは円錐形、又は円筒形の構造体底部近傍へ設けられたモーターに接続され回転するよう構成するもよし、或いは振動モーター、往復回転運動機構を兼ね備えたモーター等の構成も可能とし、更に爪を削る円錐形、又は円筒形の構造体部分とそれ以外の部分とが自在に折れ曲がる構造としたことを特徴とした請求項１記載の爪削り器。
【請求項３】
当該、円錐形、又は円筒形のシャフトを含む構造体とモーター及び、電池を一体収納するためのハウジングをそれぞれ形成し、電池を一体収納するハウジングはグリップを兼ね、片手での使用を可能としたことを特徴とした請求項１及び請求項２記載の爪削り器。
【発明の詳細な説明】
【技術分野】
【０００１】本発明は、伸びた爪を従来の爪切り等で切るのではなく、ヤスリで削って短くすることを目的とした機器に関するものである。
【背景技術】
【０００２】従来から伸びた爪はテコの原理を利用したタイプの爪切り、及びニッパーや、ハサミやヤスリ等で爪を切るか削るのが一般的であった。
【発明の概要】
【発明が解決しようとする課題】
【０００３】前記した爪切りの道具は現在でも多く使用されているが、これらの爪切りはどれも老若男女を問わず誰もが安全に扱えるとは云い難く、特に高齢者や子供にとっては危なくもあり必ずしも使い易いとはいえなかった。又円盤のヤスリをモーターで回転させ爪先を削るタイプのものでは爪の両サイドの生え際までは削ることが難しいなど難点があった。
【課題を解決する手段】
【０００４】本発明は伸びた爪を切るのではなく、円錐形の開口部最上端の淵から底部までの内側へヤスリ加工を施し構造体をモーターで回転させ、該、回転する構造体へ爪を差込み接触させさせることにより爪を削ることが出来るが、本発明の特筆すべき特徴は、爪を削る構造体が円錐形であることで、円錐形であるが故に円錐形の構造体へ差し込んだ爪が、円錐形の構造体内側のヤスリ部へ爪全体ではなく、おおよそ左右２点で接触することでしっかりと固定され、該、回転する構造体を左右に移動させることで爪の大小に関わらず対応でき、しかも爪の両サイドの生え際までしっかりと削ることが出来る。更に理論上、爪は円錐形の内側のヤスリと、爪の外側、内側共、若干角度を持って接するので、爪の外周先端部は垂直ではなく若干斜めに削れるのでバリが発生しない、更に爪を削る円錐形の構造体部分とそれ以外の部分とが自在に折れ曲がる構造であるので、使用状況や使用する人個々の条件に合わせ、折れ曲がる角度を自由に選べることが出来る等々、様々な特徴を有している。
【０００５】又、請求項１記載の円筒形においても、基本的な使用感は円錐形が優れているが、ほぼ円錐形と同様の効果を得ることが可能である。
【発明の効果】
【０００６】爪の削り具合と爪の両サイドの生え際までを微妙に加減することが可能で、老若男女を問わず誰もが安全に扱うことが出来る。
【０００７】構成部品の大部分がグリップを兼ねたハウジングで覆われ、全体のサイズが手のひらに収まる程度の大きさとしたことで扱いやすい。
【図面の簡単な説明】
【０００８】
【図１】本発明の爪削り器全体の構成を示す縦断面図である。
【図２】本発明の爪削り器構造体部分を曲げた状態を示す縦断面図である。
【図３】本発明の爪削り器背面を部分断面した状態を示す背面図である。
【図４】本発明の爪削り器構造体部分の曲がり範囲を示す右側面図である。
【図５】本発明の爪削り器に爪を垂直にセットした実施例を示す部分断面図である。
【図６】本発明の爪削り器を爪を軸に左に回転させ爪を削る実施例を示す部分断面図である。
【図７】本発明の爪削り器を爪を軸に右に回転させ爪を削る実施例を示す部分断面図である。
【発明を実施するための形態】
【０００９】本発明の爪削り器は、爪を削る構造体ヤスリ部が円錐形状にしたことにより、概構造体ヤスリ部に接触した爪が、円錐形のヤスリ部へ爪全体ではなく、おおよそ左右２点で接触することでしっかりと固定され爪全周の爪削りを安全に行うことを実現した。
【００１０】本発明の爪削り器の実施例を図１〜図７によって説明する。ハウジング１ａ内部には、ヤスリ部２を形成できる素材３に該ヤスリ部２を円錐形状に設け下部に  軸受け４を形成した該軸受け４がモーター５と直結し、該モーター５は駆動のための配線６がされ、当該一連の機構は前記ハウジング１ａ内部に組み込まれる。
【００１１】一方ハウジング１ｂには、前記筐体１ａと合体する為の回転軸７を形成、電源スイッチ１１、及び電池ボックス１２が設けられ、前記モーター５に結合した配線６が電源スイッチ１１及び電池ボックス１２に配線結合され、ハウジング１ａとハウジング１ｂは、前記回転軸７に嵌め合わされツマミ８に設けた取り付けネジ９がハウジング１ｂに設けたナット１０に締め込まれ結合、合体構成される。該ハウジング１ｂに設けた電池ボックス１２に電池１３をセットし電池蓋１４を閉じ、爪削り器は実施状態となる。
【００１２】爪削りは、ハウジング１ａ、ハウジング１ｂを結合した取り付けネジ９のツマミ８を回し弛め、ハウジング１ａを使い易い位置に調整し、その後ツマミ８を締め固定し、ハウジング１ｂをグリップとして持ち、爪１５をヤスリ部２に接触させ左右に回転させながら削る。
【符号の説明】
【００１３】１ａ、１ｂ：ハウジング２：ヤスリ部３：ヤスリ部を形成する素材４：軸受け５：モーター６：配線７：回転軸８：ツマミ９：取り付けネジ１０：ナット１１：電源スイッチ１２：電池ボックス１３：電池１４：電池蓋１５：爪
【図１】
2015100687.tif 000003
【図２】
2015100687.tif 000004
【図３】
2015100687.tif 000005
【図４】
2015100687.tif 000006
【図５】
2015100687.tif 000007
【図６】
2015100687.tif 000008
【図７】
2015100687.tif 000009
(57)【要約】【課題】冬季就寝中、現在小判型の湯たんぽを使っているが、これには、二つの使い勝手の悪さがある。ひとつは、メーカーは低音火傷防止のため就寝時は布団から出すように注意している。これでは朝になると冷たくなって、冷え性には辛い。二つ目は、メーカーの注意を無視して朝まで使っていると小判型では就寝中は邪魔になり目覚めてしまう。【解決手段】長さ３０〜４０センチメートル、高さ１０〜１２センチメートル、横(幅) １５〜１８センチメートルの半かまぼこ型であることを特徴とする低温火傷防止湯たんぽである。材質はガラスまたはプラステック製とし、湯または/および水の注入量を決めるための目安線を有している。使い方は、最初に熱湯を目安線までいれ、次に水（常温）を入れて好みの適温にする。さらに、保温のため厚手の布でカバーをする。就寝時は足元にセットしておく。【選択図】図１
2015100394.tif 000002
【特許請求の範囲】
【請求項１】
材質をガラスまたは透明性のあるプラステック製としたことを特徴とする低温火傷防止湯たんぽ
【請求項２】
湯または/および水の注入量を決めるための目安線を有することを特徴とする請求項１に記載の低温火傷防止湯たんぽ
【請求項３】
形状が、長さ３０〜４０センチメートル、高さ１０〜１２センチメートル、横(幅) １５〜１８センチメートルの半かまぼこ型であることを特徴とする請求項１または、請求項２に記載の低温火傷防止湯たんぽ
【発明の詳細な説明】
【技術分野】
【０００１】
本発明は低温火傷をおこしにくい湯たんぽに関する。
【背景技術】
【０００２】
冬季就寝中の暖をとるため、電気カーペットを使いたいが、同カーペットは実証はされていないが私が埋め込んでいる、ペースメーカーには悪い影響があるといわれている。そのため、現在小判型の湯たんぽを使っているが、これには、二つの使い勝手の悪さがある。ひとつは、メーカーは低音火傷防止のため就寝時は布団から出すように注意している。これでは朝になると冷たくなって、冷え性には辛い。二つ目は、メーカーの注意を無視して朝まで使っていると小判型では就寝中は邪魔になり目覚めてしまう。湯たんぽによる火傷防止には、特開２０１２−２１７８３２号公報に示された技術がある。
【先行技術文献】
【特許文献】
【０００３】
【特許文献１】特開２０１２−２１７８３２号公報
【発明の概要】
【発明が解決しようとする課題】
【０００４】
冬季就寝中の暖をとるため、電気カーペットを使いたいが、同カーペットは実証はされていないが私が埋め込んでいる、ペースメーカーには悪い影響があるといわれている。そのため、現在小判型の湯たんぽを使っているが、これには、二つの使い勝手の悪さがある。ひとつは、メーカーは低音火傷防止のため就寝時は布団から出すように注意している。これでは朝になると冷たくなって、冷え性には辛い。二つ目は、メーカーの注意を無視して朝まで使っていると小判型では就寝中は邪魔になり目覚めてしまう。
【課題を解決するための手段】
【０００５】
上記の課題を解決するための、
第一の発明は、材質をガラスまたは透明性のあるプラステック製としたことを特徴とする低温火傷防止湯たんぽである。
また、第２の発明は第１の発明において、湯の注入量を決めるための目安線を有することを特徴とする請求項１に記載の低温火傷防止湯たんぽである。
また、第３の発明は第１または第２の発明において、形状が、長さ３０〜４０センチメートル、高さ１０〜１２センチメートル、横(幅) １５〜１８センチメートルの半かまぼこ型であることを特徴とする請低温火傷防止湯たんぽである。
【発明の効果】
【０００６】
本発明の湯たんぽは、使用時の温度を最適にすることができ、低温火傷を起こすことを防止できる。また、湯たんぽ状態形状が優れているため、布団または、ベットの奥に安定しやすい。
【図面の簡単な説明】
【０００７】
【図１】図１は本発明の湯たんぽを示した説明図である。
【図２】図２は本発明の湯たんぽの使用状態を示した説明図である。
【図３】図３は本発明の湯たんぽの他使用状態を示した説明図である。
【発明を実施するための形態】
【０００８】
本発明の湯たんぽの材質は、透明性のあるものがこのましく、ガラスまたは現在市販されているプラスチック製が適している。この湯たんぽは、湯または/および水を注入するための目安線を有している。低温火傷は  ４１度〜４３度で受傷するといわれており、最初に熱湯を入れる目安線を例えば鉢巻状に湯たんぽに入れておく。また。湯を入れたあとに注入するための線を、同様に、例えば鉢巻状に湯たんぽに入れておく。使い方は、最初に熱湯を湯を入れる目安線まで入れ、次に水（常温）を水を入れる目安線まで入れて適温にする。水を入れて温度調整をした後に、厚手の布製カバーをする。
【実施例】
【０００９】
使用方法の１例を示す。沸騰後少し覚ました湯（９５°位）を湯を入れる目安線まで入れる。容量２リットル湯たんぽの目安線までいれる場合は、容量の約５０％、１リットルになるようする。その後に、水（常温）をほぼ同量そそぎ、６０°位の温度とする。その後、さらに、保温のため厚手の布でカバーをする。就寝時は足元にセットしておく。本発明の湯たんぽは、半かまぼこ型である。長さは３０〜４０センチメートル、高さは、１０〜１２センチメートル、横（底）は１５〜１８センチメートルの範囲が良い。この形状にすることにより、就寝中も安定性が得られる。凸の曲面に足裏を当てるようにして用いる。
【産業上の利用可能性】
【００１０】
本発明は、湯たんぽの新たな市場を提供するものであり、製造業、流通業の発展に有効である。
【符号の説明】
【００１１】
１    本体
２    給排水(湯)口
３    湯を入れる目安線
４    水を入れる目安線
５    枕
６    ベット
７    掛布団
８    敷布団
【図１】
2015100394.tif 000003
【図２】
2015100394.tif 000004
【図３】
2015100394.tif 000005
(57)【要約】【課題】リサイクル利用の進んでいないクリンカアッシュの再利用化と、排水性、通気性、保水性、保肥性に優れ、諸空を良好に育成させることのできる植物育成培養土を提供する。【解決手段】本発明の植物育成培養土はクリンカアッシュ、ココヤシピート、養分を含んでいる。このため、排水性、通気性、保水性、保肥性に優れ、土壌の汚染に係わる重金属含溶出試験の基準値を満足していることから、植物を良好に育成させることができると共に、クリンカアッシュの再利用化することができる。【特許請求の範囲】
【請求項１】
クリンカアッシュとココヤシピートおよび化成肥料または有機肥料を含むことを特徴とする培養土。
【請求項２】
前記クリンカアッシュの配合比率は１０〜５０体積％、前記ココヤシピートの配合比率は５０％〜９０体積％の範囲内で配合調整されている請求項１の植物育成培養土。
【請求項３】
前記植物育成培養土は適宜量の養分が添加されている請求項１または２の植物育成培養土。
【請求項４】
前記植物育成培養土は植物の育成方法に使用することを特徴とする請求項１または２または３の植物育成用培養土。
【発明の詳細な説明】
【技術分野】
【０００１】本発明は、花、野菜、植木、芝生などの植物の育成に使用される植物育成培養土に関する。
【背景技術】
【０００２】石炭を燃料とした火力発電所から排出される塊状石炭灰のクリンカアッシュは、そのほとんどが埋立地に埋設されているだけで、リサイクル利用が進んでいないのが実状である。
【発明の概要】
【発明が解決しようとする課題】
【０００３】本発明が解決しようとする課題は、リサイクル利用が進んでいないクリンカアッシュの再利用化、すなわち植物を育成することのできる培養土を提供することを目的とするものである。
【課題を解決するための手段】
【０００４】上記課題を解決するものは、クリンカアッシュ、ココヤシピート、適宜量の養分を含むことを特徴とする植物育成培養土である。【０００５】前記植物育成培養土は前記クリンカアッシュの配合比率が１０〜５０体積％、前記ココヤシピートの配合比率が５０％〜９０体積％の範囲内で配合調整され、適宜量の養分が添加されている。【０００６】クリンカアッシュは石炭を燃料とした火力発電所のボイラ底部に落下した堆積物であって、多孔質で砂に近い粒度分布になっていることから、排水性、通気性、保水性保肥性の土壌物理性に優れている。クリンカアッシュの主成分は二酸化ケイ素や酸化アルミニウムで、弱アルカリ性である。本発明に係わる他の素材であるココヤシピートはココヤシ繊維を得る際に残る粉末状体であって、排水性、通気性、保水性、保肥性などにおいて優れており、弱酸性である。【０００７】その他の原料としては、必要に応じて適宜量の養分（窒素、リン酸、カリウム等）を添加する。【０００８】クリンカアッシュの分析を行ったところ、有害物質については、土壌の汚染に係わる重金属含溶出試験の基準値と比較して、いずれも値を満足するものであり、植物育成培養土の原料として安全である。【０００９】本発明の植物育成培養土の一実施例を下記の表１の配合比率（体積％）にて作成した。【００１０】
【表１】
2015100353.tif 000002
【００１１】本発明の植物育成培養土の製造方法としては、必要量のクリンカアッシュとココヤシピート、そして養分を撹拌混合する。【００１２】本発明の植物育成培養土と他の培養土を比較するために、小松菜を用いて栽培試験を行った。【００１３】その結果、本発明の植物育成培養土にて育成した小松菜は、他の培養土にて育成した小松菜に対して、葉、根などの育成状態が良好であった。例えば、本発明の植物育成培養土にて育成した小松菜地上部重量は、他の培養土で育成した小松菜に対して、地上部の重量が１．３〜３．３倍増加した。例えば本発明の植物育成培養土にて育成した小松菜地下部重量は、他の培養土で育成した小松菜に対して、地下部の重量が１．２〜２．１倍増加した。【００１４】以上の説明から、本発明の植物育成培養土は植物の育成に使用される植物育成培養土としての能力を満足しているものである。本発明の植物育成培養土はクリンカアッシュとココヤシピートを主な原料として採用したものであって、このクリンカアッシュの有する多くの微小孔の通気性、排水性、保水性、保肥性などの性質により、植物の発根を促進して植物の育成を促すものであり、クリンカアッシュのリサイクル利用を達成できたものである。
(57)【要約】      （修正有）【課題】家庭や事業所で、誰でも簡単にいつでも利用できる発電および蓄電を行うことができる方法、システムを提供する。【解決手段】家庭や事業所の１００ボルト電源を利用できるモーターを活用し、モーターと発電機をプーリー（滑車）でつなぐ。蓄電池の残量をセンサーで検知し、蓄電池残量が少なくなっている場合、自動的にモーターに信号を送る信号発生器（ジェネレーター）が作動し、モーターを回転させる。【選択図】図１
2015100253.tif 000002
【特許請求の範囲】
【請求項１】
１００ボルトコンセント電源からモーターを回転させ、発電機をプーリー（滑車）で連結し、発生した直流電気を蓄電池に充電する仕組み。
インバーターにより１００ボルト交流電気として出力する発電＆蓄電システム。
発電機には、専用発電機のオルタネーターを使用。ベルトで結んだ可変速駆動モーター軸の直径を大きくする。そのためにモーターより発電機の方の回転数が多くなり電源で起動したモーターの消費電力よりも発電機で発生した起電の方が大きくなる。その差の電力が充電できるシステム。
【請求項２】
蓄電池の充電量をセンサーで検知し、ジェネレーター（信号発生器）でモーターに知らせ繰り返し充放電ができる。その時の電源は、蓄電池の残量からモーターを回転させるシステム。従って、コンセントからの電源は最にモーターを駆動させる時のみ必要となる発電＆蓄電システム。
【発明の詳細な説明】
【技術分野】
【０００１】この発明は、環境に負荷のかからないエネルギー供給システムである。
「モーターにより循環性のある発電及び蓄電システムを提供する。
【背景技術】
【０００２】エネルギー危機や原発事故による電力不足などからエネルギーの節約やコストの削減が叫ばれている。また地球温暖化対策の必要性から従来の化石燃料を利用した自家発電ではなく、モーターと発電機（オルタネーター）と築電池と信号発信技術によるセンサーの働きを組み合わせることにより、高効率のエコロジカルな発電＆蓄電システムを構築する。
すなわちモーターと発電機により自動充電した電気を家庭や企業で使用する。それにより系統電力の使用量を抑える事を可能にする電力削減システムを提供できる。
【先行技術文献】
【０００３】
【特許文献１】  特開２０１１−０４５２２７号公報
【特許文献２】  実用新案登録第３１６１２２６５（Ｕ３１６１２２６）
【公表番号】
特表２００６−５２６９８０（Ｐ２００６−５２６９８０Ａ）
【発明の概要】
【０００４】上記の先行技術では、自動車の走行を電源としている点で、特に高齢者などいつでも誰でも利用するには制限がある。
そこで、この発明は気軽にいつでも誰でも発電を行い、利用できる事を課題とする。
特に家庭で発電及び蓄電して利用できる事が重要である。
【問題を解決する為の手段】
【０００５】以上の課題を解決する為に、第一発明は家庭用の１００ボルトコンセントに接続し、これを電源としてモーターを回転させ、プーリー（滑車）により発電機（オルタネーター）を駆動させて発電を行う事を特徴とする。また第二発明は、発電機（オルタネーター）から発生した電気を蓄電池に充電し、その残量をセンサーで絶えず感知し、残量が少なくなれば信号発信器によりモーターに送信し自動的にモーターを回転させ充電させる仕組みである。従って１００ボルトコンセントから電源を必要とするのは、初動段階のみであることを特徴とする。
【発明の効果】
【０００６】第一発明、または第二発明により、いつでも、誰にでも利用できる発電及び蓄電システムであり、地球温暖化対策に貢献できる発電＆蓄電システムである。
【図面の簡単な説明】
【０００７】
【図１】この発明の−実施形態を示す平面図である。
【発明を実施するための形態】
【０００８】この発明の−実施形態を、図１に示す。
この発電＆蓄電システムの概要を説明する。
１００ボルトの家庭や事業所のコンセントから電源をとりモーターを回転させる。
モーターで誘導発電機を高速回転することで消費電力よりも発生電力を大きくする。
具体的には、モーターと発電機をプーリーで連結し、発生した直流電気を蓄電し、インバーターにより１００ボルト交流電気として出力する。発電機には専用発電機のオルタネーターを使用しベルトで結んだ可変速駆動モーター軸の直径を大きくする。そのためにモーターより発電機の方の回転数が多くなり電源で起動したモーターの消費電力よりも発電機で発生した起電の方が大きくなる。その差の電力が蓄電できる仕組みである。
蓄電池の充電量をセンサーで検知し、ジェネレーター（信号発生器）でモーターに知らせ繰り返し充放電ができる。その時の電源は蓄電池の残量からモーターを回転させる。従って、コンセントからの電源は最初のモーターを駆動させる時のみ必要となる仕組みであり、極めてエコロジカルな発電及び蓄電システムである。
【０００９】「実施形態の効果」
この実施形態によれば、家庭や事業所の１００ボルト電源からモーターを回す仕組みなので、いつでも誰でも操作が出来る。
「他の実施形態」
蓄電池の残量は、センサーによって検知され、充電の必要性に応じて自動的にジェネレーター（信号発生器）が作動し、モーターに伝達される。従ってモーターの自動運転により必要な電気量は常時蓄電池に充電される。
【符号の説明】
【００１０】▲１▼モーター    ▲２▼誘導発電機（オルタネーター）    ▲３▼蓄電池
▲４▼ジェネレーター（信号発生器）    ▲５▼インバーター
【図１】
2015100253.tif 000003
(57)【要約】【課題】回転子鉄心にラジアル方向の通風ダクトを設けることなく、ロータバーを効果的に通風冷却できる回転電機の回転子を提供する。【解決手段】  回転軸１１に嵌合取り付けされた回転子鉄心１２の外周面に、それぞれロータバー１４を収容する複数のスロット１３が軸方向に形成された回転電機の回転子１０であって、回転子鉄心１２には、複数のスロット１３の底部に開溝する通風溝１５が、対応するスロット１３の長さ方向に沿ってそれぞれ形成され、ロータバー１４には、一端が前記通風溝１５に対向し、他端はスロット１３の開溝部に通じる複数の通風孔１６が設けられている。【選択図】図１
2015100197.tif 000002
【特許請求の範囲】
【請求項１】
回転軸に嵌合取り付けされた回転子鉄心の外周面に、それぞれロータバーを収容する複数のスロットが軸方向に形成された回転電機の回転子であって、
前記回転子鉄心には、前記複数のスロットの底部に開溝する通風溝が、対応するスロットの長さ方向に沿ってそれぞれ形成され、
前記ロータバーには、一端が前記通風溝に対向し、他端は前記スロットの開溝部に通じる複数の通風孔が設けられている
ことを特徴とする回転電機の回転子。
【発明の詳細な説明】
【技術分野】
【０００１】
本発明の実施形態は、通風冷却構造を改良した回転電機の回転子に関する。
【背景技術】
【０００２】
誘導電動機などの回転電機の回転子は、回転軸の外周面に回転子鉄心が嵌合取り付けされ、この回転子鉄心の外周面に、軸方向に沿って複数のスロットが形成され、これらスロット内にそれぞれロータバーが収容されている。このような回転電機は、運転時に発熱するため、その温度上昇を防止するために通風冷却が行われている。このうち、回転子の通風冷却構造としては、円柱状をなす回転子鉄心の軸方向の複数箇所にラジアル方向の通風ダクトを設け、回転子鉄心の軸方向を貫通する通風路に流れる冷却風を、これらラジアル方向の通風ダクトに流し、固定子との間に排気することで、冷却風をロータバーに導き、このロータバーを通風冷却する構造が一般に用いられている（例えば、特許文献１参照）。
【先行技術文献】
【特許文献】
【０００３】
【特許文献１】特開平１１−１５０８９８号公報
【発明の概要】
【発明が解決しようとする課題】
【０００４】
しかしながら、回転速度が３６００ｒｐｍ以上の大容量誘導電動機のような回転電機では、回転子鉄心にラジアル方向の通風ダクトを設けると、機械的強度や損失、騒音などの問題が生じることから、通風ダクトを設けることができず、通風ダクト無しの構造となっていた。このため、ロータバーが高温となり、その冷却構造が強く望まれていた。
【０００５】
本発明が解決しようとする課題は、回転子鉄心にラジアル方向の通風ダクトを設けることなく、ロータバーを効果的に通風冷却できる回転電機の回転子を提供することにある。
【課題を解決するための手段】
【０００６】
本発明の実施の形態に係る回転電機の回転子は、回転軸に嵌合取り付けされた回転子鉄心の外周面に、それぞれロータバーを収容する複数のスロットが軸方向に形成された回転電機の回転子であって、前記回転子鉄心には、前記複数のスロットの底部に開溝する通風溝が、対応するスロットの長さ方向に沿ってそれぞれ形成され、前記ロータバーには、一端が前記通風溝に対向し、他端は前記スロットの開溝部に通じる複数の通風孔が設けられていることを特徴とする。
【図面の簡単な説明】
【０００７】
【図１】本発明の一実施形態に係る回転電機の回転子を示す図である。
【図２】同上回転子の横断面の１／４部分を示す図である。
【発明を実施するための形態】
【０００８】
以下、本発明の実施の形態について、図面を参照して詳細に説明する。
【０００９】
図1はこの実施の形態に係る回転電機の回転子１０を示しており、図２はこの回転子１０の横断面の１／４部分を示している。
【００１０】
これら図１及び図２において、回転子１０は、回転軸１１の外周面に回転子鉄心１２を嵌合取り付けして構成される。この回転子鉄心１１の外周面には、図１で示す複数のスロット１３がそれぞれ軸方向に沿って形成され、これらスロット１３内には、それぞれロータバー１４が収容されている。これらロータバー１４の両端は、エンドリング１４ａにより相互に連結されている。
【００１１】
また、回転子鉄心１１には、その複数のスロット１３の底部に開溝する通風溝１５が、対応するスロット１３の長さ方向に沿ってそれぞれ形成され、それらの両端は、図１で示すように、回転子鉄心１１の左右両端面に開口している。
【００１２】
複数のスロット１３内にそれぞれ収容されたロータバー１４には、それらの横断方向に貫通する複数の通風孔１６が設けられている。この複数の通風孔１６は、その一端が前記通風溝１５に対向し、他端はスロット１３の、回転機鉄心１１の外周面への開溝部に通じている。
【００１３】
上記構成において、回転電機が運転され、回転子１０が回転すると、回転軸１１の両端部に設けた図示しないファンにより回転子１０の両側から軸方向に沿って送風される。すなわち、図１において矢印で示すように、回転軸１１の両端側から送風された冷却風は、ロータバー１４のエンドリング１４ａ部分を冷却しながら、その下部を通って通風溝１５内に、その両端開口から送り込まれる。
【００１４】
通風溝１５内に送り込まれた冷却風は、通風溝１５内を長さ方向中央部に向って流れ、底部に通風溝１５が開溝するスロット１３内のロータバー１４の底辺部と接触し、これを冷却する。この冷却風は、さらに、ロータバー１４の横断方向を貫通する複数の通風孔１６を通り、ロータバー１４内部を直接風冷しながら、図示しない固定子鉄心の内周との対向間隔部分に排気される。
【００１５】
このように、回転子鉄心１１に設けた複数のスロット１３に対して、その底部に開溝する通風溝１５を設けると共に、複数のスロット１３内に収容されたロータバー１４に、それらの横断方向に貫通し、通風溝１５からスロット１３の開溝部に通じる複数の通風孔１６を設けたので、ロータバー１４を効率よく風冷することができ、運転時における温度上昇を大幅に低減することができる。
【００１６】
本発明の実施形態を説明したが、この実施形態は例として提示したものであり、発明の範囲を限定することは意図していない。この新規な実施形態は、その他のさまざまな形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００１７】
１０・・・回転子
１１・・・回転軸
１２・・・回転子鉄心
１３・・・スロット
１４・・・ロータバー
１５・・・通風溝
１６・・・通風孔
【図１】
2015100197.tif 000003
【図２】
2015100197.tif 000004